(57)【要約】【課題】木製の鍵盤材を用いた鍵を備える鍵盤楽器の鍵盤装置において、加工工程の簡略化による製造コストの低減および品質の安定化を図ること。【解決手段】筬中本体１５ａの黒鍵用バランスピン１２ｂ前方には凹部１５ｆが形成されている。この凹部１５ｆは、押鍵時に黒鍵３ｂが黒鍵用の鍵下限ストッパ１８ｂに当接するまで前方向に回動した際に、押鍵時の黒鍵３ｂの下面（図中に一点鎖線で図示）と当接せずに対向するよう設定された面（対向面）１５ｇを有する。なお、対向面１５ｇは、筬中１５が下シャーシ２ａに取り付けられた際に、押鍵時の黒鍵３ｂの下面と略平行となるように設定されている。また、凹部１５ｆは、図２（ｂ）に示すように、左右の壁面１５ｈ，１５ｉの間の幅寸法が黒鍵３ｂの幅寸法よりも若干大きく設定されている。このことにより、この凹部１５ｆは、押鍵時の黒鍵３ｂの下部を内包可能である。【選択図】図２
2010224146.tif 000002
【特許請求の範囲】
【請求項１】
演奏者に対向して左右方向に並ぶ木製の鍵盤材を用いた鍵がシャーシに固定された筬中に立設されるバランスピンを介して前後方向に回動可能に支持され、押鍵時に上方に回動する前記鍵の後端部がハンマーを回動動作させる鍵盤楽器の鍵盤装置において、
前記筬中は、成形品であり、当該筬中の前後方向の前方縁部よりも後方に前記バランスピンが立設されることで当該筬中に前記バランスピン前方の部分が形成され、当該筬中の前記バランスピン前方の部分が押鍵時の白鍵の下面と当接せずに対向するとともに、黒鍵を支持する黒鍵用のバランスピンが立設する位置が、白鍵を支持する白鍵用のバランスピンが立設する位置よりも後方となるように設定されており、
さらに、前記筬中の前記黒鍵用バランスピン前方には、左右方向の幅寸法が黒鍵の幅寸法よりも若干大きく設定されるとともに押鍵時の黒鍵の下面と当接せずに対向する対向面を有することで、押鍵時の黒鍵の下部をその内部に内包可能な凹部が形成されていること
を特徴とする鍵盤楽器の鍵盤装置。
【請求項２】
請求項１に記載の鍵盤楽器の鍵盤装置において、
前記対向面は、押鍵時の黒鍵の下面と略平行に形成されていることを特徴とする鍵盤楽器の鍵盤装置。
【請求項３】
請求項１または請求項２に記載の鍵盤楽器の鍵盤装置において、
前記筬中の前記バランスピン周囲には、前記バランスピンに回動可能に支持された前記鍵が載置されてその鍵盤高さを保持する保持面が形成されていることを特徴とする鍵盤楽器の鍵盤装置。
【請求項４】
演奏者に対向して左右方向に並ぶ木製の鍵盤材を用いた鍵がシャーシに固定された筬中に立設されるバランスピンを介して前後方向に回動可能に支持され、押鍵時に上方に回動する前記鍵の後端部がハンマーを回動動作させる鍵盤楽器の鍵盤装置において、
前記筬中は、成形品であり、当該筬中の前後方向の前方縁部よりも後方に前記バランスピンが立設されることで当該筬中に前記バランスピン前方の部分が形成され、当該筬中の前記バランスピン前方の部分が押鍵時の白鍵の下面と当接せずに対向するとともに、黒鍵を支持する黒鍵用のバランスピンが立設する位置が、白鍵を支持する白鍵用のバランスピンが立設する位置よりも後方となるように設定されており、
さらに、前記筬中の黒鍵用のバランスピン周囲には、黒鍵が載置されてその高さを保持しながら回動可能とする保持面が形成され、前記保持面は、押鍵時に当該保持面によってその高さを保持されながら回動する黒鍵の下面が、前記筬中の前側の上面よりも上方に位置するように設定されていること
を特徴とする鍵盤楽器の鍵盤装置。
【発明の詳細な説明】
【技術分野】
【０００１】
本発明は、木製の鍵盤材を用いた鍵を備える鍵盤楽器の鍵盤装置において、加工工程の簡略化による製造コストの低減および品質の安定化を図る技術に関する。
【背景技術】
【０００２】
従来より、押鍵された鍵と連動するハンマーの回動動作を演奏情報として検出可能な電子鍵盤楽器の鍵盤装置が知られている。より具体的には、この種の鍵盤楽器の鍵盤装置では、木製の鍵盤材を用いた鍵がシャーシに固定された筬中に立設されるバランスピンを介して前後方向に回動可能に支持され、押鍵時に上方に回動する鍵の後端部がハンマーを回動動作させ、センサがハンマーの回動動作を演奏情報として検出している。
【０００３】
そして、鍵を支持するバランスピンについては、白鍵を支持する白鍵用のバランスピンと黒鍵を支持する黒鍵用のバランスピンとを横一列となるように筬中に立設させている。
しかし、このような鍵盤楽器の鍵盤装置においては、バランスピンによる支持点から後端部までの寸法が白鍵と黒鍵とで異なるため、白鍵によって動作されるハンマーと黒鍵によって動作されるハンマーの動作角度を合わせるように両者を区別して設計する必要があった。
【０００４】
これに対して、バランスピンによる支持点を白鍵よりも黒鍵の方を後方にずらすことで、白鍵によって動作されるハンマーと黒鍵によって動作されるハンマーとで区別せずに設計し、両者の動作角度を均一とする鍵盤楽器の鍵盤装置が存在する。具体的には、この種の鍵盤楽器の鍵盤装置では、黒鍵を支持する黒鍵用バランスピンを筬中に立設させる位置を、白鍵を支持する白鍵用バランスピンを筬中に立設させる位置よりも後方に設定している。
【０００５】
しかし、このような鍵盤楽器の鍵盤装置においては、黒鍵用バランスピンを筬中に立設させる位置を後方にずらすことで、押鍵時の黒鍵の下部が筬中の前部上面に当接するという問題がった。なお、筬中による鍵の支持高さを上下方向に調整可能とした鍵盤楽器の鍵盤装置も知られているが（例えば、特許文献１参照。）、鍵の支持高さを個々の鍵ごとに調整する必要があった。
【０００６】
そこで、黒鍵下部の筬中と対向する部分をカッターなどの適当な手段で削ることで、押鍵時の黒鍵の下部が筬中の前部上面に当接するのを防ぐ手法が実施されている。
【先行技術文献】
【特許文献】
【０００７】
【特許文献１】特開平０７−２１９５２０号公報（第４頁、図３）
【発明の概要】
【発明が解決しようとする課題】
【０００８】
しかし、上述のように木製の黒鍵下部の筬中と対向する部分を削った場合には、吸湿時に反りや変形が発生するおそれがあり、鍵盤装置の品質が不安定になるという問題があった。また、木製の黒鍵の下部を削る分だけ加工工程が増加し、製造コストも増加するという問題があった。
【０００９】
また、このような問題が生じるのは電子ピアノなどの電子鍵盤楽器に搭載される鍵盤装置に限られず、例えば、アコースティックピアノなど、木製の鍵盤材を用いた鍵がシャーシに固定された筬中に立設されるバランスピンを介して前後方向に回動可能に支持され、押鍵時に上方に回動する鍵の後端部がハンマーを回動動作させる鍵盤装置を備える鍵盤楽器においては同様に生じ得る。
【００１０】
本発明は、このような課題に鑑みなされたものであり、その目的とするところは、木製の鍵盤材を用いた鍵を備える鍵盤楽器の鍵盤装置において、加工工程の簡略化による製造コストの低減および品質の安定化を図ることにある。
【課題を解決するための手段】
【００１１】
上記課題を解決するためになされた請求項１に係る鍵盤楽器の鍵盤装置（１：この欄においては、発明に対する理解を容易にするため、必要に応じて「発明を実施するための形態」欄で用いた符号を付すが、この符号によって請求の範囲を限定することを意味するものではない。）は、演奏者に対向して左右方向に並ぶ木製の鍵盤材を用いた鍵（３）がシャーシ（２ａ）に固定された筬中（１５）に立設されるバランスピン（１２）を介して前後方向に回動可能に支持され、押鍵時に上方に回動する前記鍵の後端部（３ｇ）がハンマー（４０）を回動動作させる鍵盤楽器の鍵盤装置において、前記筬中は、成形品であり、当該筬中の前後方向の前方縁部よりも後方に前記バランスピンが立設されることで当該筬中に前記バランスピン前方の部分（１５ｂ）が形成され、当該筬中の前記バランスピン前方の部分が押鍵時の白鍵（３ａ）の下面と当接せずに対向するとともに、黒鍵（３ｂ）を支持する黒鍵用のバランスピン（１２ｂ）が立設する位置が、白鍵を支持する白鍵用のバランスピン（１２ａ）が立設する位置よりも後方となるように設定されており、さらに、前記筬中の前記黒鍵用バランスピン前方には、左右方向の幅寸法が黒鍵の幅寸法よりも大きく設定されるとともに押鍵時の黒鍵の下面と当接せずに対向する対向面（１５ｇ）を有することで、押鍵時の黒鍵の下部をその内部に内包可能な凹部（１５ｆ）が形成されていることを特徴とする。
【００１２】
このように構成された本発明の鍵盤楽器の鍵盤装置によれば、筬中のうちの黒鍵用のバランスピン前方に形成される凹部が、左右方向の幅寸法が黒鍵の幅寸法よりも大きく設定されるとともに、押鍵時の黒鍵の下面と当接せずに対向する対向面を有することで、押鍵時の黒鍵の下部を内包可能である。このことにより、押鍵時に黒鍵が筬中に当接しなくなるので従来のように黒鍵を削らなくても済み、黒鍵を削った場合に発生する吸湿時の反りや変形が発生せずに品質が安定する。また、黒鍵を削った場合に発生する加工工程を簡略化でき、製造コストを低減することができる。また、筬中は合成樹脂の射出成形品であるので、精度よく製造することでき、品質が安定する。
【００１３】
また、本発明の鍵盤楽器の鍵盤装置によれば、上述のように筬中が合成樹脂の射出成形品であるために精度よく製造することできるとともに品質が安定するために各黒鍵に対向する各対向面も精度よく形成されるため、黒鍵を支持する黒鍵用バランスピンが立設する位置と白鍵を支持する白鍵用バランスピンが立設する位置との前後差を（白鍵と黒鍵の支点位置の前後差）を適切な寸法にすることにより、白鍵用のハンマーの作用点位置と黒鍵用のハンマーの作用点位置とを共通にすることができ、当該鍵盤楽器の鍵盤装置の他の構成に白鍵用と黒鍵用とで共通の部品を使用できる。したがって、部品構成をシンプルにできるとともに、部品共通化により組立てやすくすることができる。なおこのことは品質の安定化にも寄与する。
【００１４】
したがって、本発明の鍵盤楽器の鍵盤装置によれば、加工工程の簡略化による製造コストの低減および品質の安定化を図ることができる。
また、請求項２に係る鍵盤楽器の鍵盤装置は、請求項１に記載の鍵盤楽器の鍵盤装置において、前記対向面は、押鍵時の黒鍵の下面と略平行に形成されていることを特徴とする（図２参照）。
【００１５】
また、請求項３に係る鍵盤楽器の鍵盤装置は、請求項１または請求項２に記載の鍵盤楽器の鍵盤装置において、前記筬中の前記バランスピン周囲には、前記バランスピンに回動可能に支持された前記鍵が載置されてその鍵盤高さを保持する保持面（１１５ｄ，１１５ｅ）が形成されていることを特徴とする（図３参照）。
【００１６】
また、請求項４に係る鍵盤楽器の鍵盤装置は、演奏者に対向して左右方向に並ぶ木製の鍵盤材を用いた鍵がシャーシに固定された筬中に立設されるバランスピンを介して前後方向に回動可能に支持され、押鍵時に上方に回動する前記鍵の後端部がハンマーを回動動作させる鍵盤楽器の鍵盤装置において、前記筬中は、成形品であり、当該筬中の前後方向の前方縁部よりも後方に前記バランスピンが立設されることで当該筬中に前記バランスピン前方の部分が形成され、当該筬中の前記バランスピン前方の部分が押鍵時の白鍵の下面と当接せずに対向するとともに、黒鍵を支持する黒鍵用のバランスピンが立設する位置が、白鍵を支持する白鍵用のバランスピンが立設する位置よりも後方となるように設定されており、さらに、前記筬中の黒鍵用のバランスピン周囲には、黒鍵が載置されてその高さを保持しながら回動可能とする保持面が形成され、前記保持面は、押鍵時に当該保持面によってその高さを保持されながら回動する黒鍵の下面が、前記筬中の前側の上面よりも上方に位置するように設定されていることを特徴とする。
【００１７】
このように構成された本発明の鍵盤楽器の鍵盤装置によれば、筬中の黒鍵用のバランスピン周囲に、黒鍵が載置されてその高さを保持しながら回動可能とする保持面が形成され、この保持面は、押鍵時に当該保持面によってその高さを保持されながら回動する黒鍵の下面が、筬中の前側の上面よりも上方に位置するように設定されている。このことにより、押鍵時に黒鍵が筬中に当接しなくなるので従来のように黒鍵を削らなくても済み、黒鍵を削った場合に発生する吸湿時の反りや変形が発生せずに品質が安定する。また、黒鍵を削った場合に発生する加工工程を簡略化でき、製造コストを低減することができる。また、筬中は合成樹脂の射出成形品であるので、精度よく製造することでき、品質が安定する。
【００１８】
また、本発明の鍵盤楽器の鍵盤装置によれば、上述のように筬中が成形品であるために精度よく製造することできるとともに品質が安定するために各鍵が載置されてその高さを保持しながら回動可能とする保持面を精度よく形成できるので、離鍵時の鍵（白鍵および黒鍵）の前部上面の高さを均一にそろえることができる。したがって、部品構成をシンプルにできるとともに、部品共通化により組立てやすくすることができる。なおこのことは品質の安定化にも寄与する。また、離鍵時の鍵（白鍵および黒鍵）の前部上面の高さを均一にそろえることにより、当該鍵盤装置の外観を整えるとともに演奏をスムーズに行うことができる。
【図面の簡単な説明】
【００１９】
【図１】鍵盤装置１の概略構成図であり、黒鍵が復帰されている状態を示す。
【図２】鍵盤装置１の筬中１５の概略構成図であり、（ａ）は筬中１５の側面図であり、（ｂ）は筬中１５の正面図である。
【図３】他の実施形態の筬中１１５の概略構成を示す斜視図である。
【発明を実施するための形態】
【００２０】
以下に本発明の実施形態を図面とともに説明する。
［１．鍵盤装置１の構成の説明］
図１に示す本実施形態の電子ピアノの鍵盤装置１は、左右方向に並んだ多数の鍵３（白鍵３ａおよび黒鍵３ｂを各１つのみ図示）と、これらの鍵３を支持する下シャーシ２ａと、この下シャーシ２ａの後端部に取り付けられた後シャーシ２ｂと、各鍵３の押鍵に伴って調整ネジ１４を介して回動する多数のハンマー４０（１つのみ図示）を備えている。次に、下シャーシ２ａ、鍵３、ハンマー４０、および後シャーシ２ｂの順に説明する。
【００２１】
［１．１．下シャーシ２ａの構成の説明］
下シャーシ２ａは、プレスにより打抜き及び折り曲げ加工された金属製の板材からなり、多数の鍵３を支持するように構成されている。下シャーシ２ａの前後方向の中央部には、下シャーシ２ａの上方にネジ２ｈで固定した複数個の筬中１５上に多数のバランスピン１２が左右方向に２列に並んで立設されており（各１つのみ図示）、各鍵３は、その中央部がバランスピン１２に回動可能に支持されている。
【００２２】
なお、下シャーシ２ａの上部には、複数個の筬中１５が左右方向に並べて取り付けられており、これら複数個の筬中１５が、鍵盤装置１が備えるすべての８８個の鍵を支持するように構成されている。また、筬中１５に２列に並んで立設されたバランスピン１２のうち前方に配置されるバランスピン１２は、白鍵３ａを回動可能に支持する白鍵用バランスピン１２ａであり、後方に配置されるバランスピン１２は、黒鍵３ｂを回動可能に支持する黒鍵用バランスピン１２ｂである。
【００２３】
また、下シャーシ２ａの前部には、押鍵時の鍵３を案内するためのフロントピン１６が左右方向に２列に並んで立設されている（各１つのみ図示）。なお、２列に並んで立設されたフロントピン１６のうち前方に配置されるフロントピン１６は、押鍵時の白鍵３ａを案内するための白鍵用フロントピン１６ａであり、後方に配置されるフロントピン１６は、押鍵時の黒鍵３ｂを案内するための黒鍵用フロントピン１６ｂである。
【００２４】
また、下シャーシ２ａの前部には、押鍵時の鍵３を規制するための鍵下限ストッパ１８が左右方向に２列に並んで設置されている（各１つのみ図示）。なお、２列に並んで設置された鍵下限ストッパ１８のうち前方に配置される鍵下限ストッパ１８は、押鍵時の白鍵３ａを規制するための白鍵用の鍵下限ストッパ１８ａであり、後方に配置される鍵下限ストッパ１８は、押鍵時の黒鍵３ｂを規制するための黒鍵用の鍵下限ストッパ１８ｂである。
【００２５】
また、下シャーシ２ａの後部には、離鍵時の鍵３を規制するための鍵上限ストッパ２０が左右方向に１列に並んで設置されている（各１つのみ図示）。
なお、筬中１５およびバランスピン１２の詳細な構成については後述する。
【００２６】
［１．２．鍵３の構成の説明］
各鍵３は、断面矩形の木製の鍵本体（鍵盤材）３ｃと、その上面前部に接着された合成樹脂製の鍵カバー３ｄで構成されている。鍵本体３ｃの中央部にはバランスピン孔３ｅが形成されている。鍵３は、そのバランスピン孔３ｅにバランスピン１２が挿入されることにより、バランスピン１２に回動可能に支持される。そして、鍵本体３ｃの上面後端部には、鍵本体３ｃの上面前部の面より下方へ鍵本体３ｃの上面前部の面に略平行な段差面３ｇが形成されている。そして、この段差面３ｇには、平坦部３ｆが貼着されている。この平坦部３ｆは、この段差の上面に貼着される発砲ウレタンと、このウレタンの上面に貼着された摺動しやすいテープとから構成されている。
【００２７】
［１．３．ハンマー４０の構成の説明］
ハンマー４０は、鍵３ごとに設けられ、屈曲した棒状の合成樹脂製のハンマー本体４２と、その両側面の前部に取り付けられたおもり板４６（１つのみ図示）を備えている。ハンマー本体４２の後端部には、後方に開放する円弧状の軸孔４８が形成されており、ハンマー４０は、この軸孔４８に後述の後シャーシ２ｂの支点軸部２ｃが係合されることによって、後シャーシ２ｂに回動可能に支持されている。そのため、ハンマー本体４２は、その軸孔４８の内径寸法が、支点軸部２ｃの外径寸法よりも大きく形成されている。また、ハンマー本体４２には、その下面の軸孔４８付近の位置に調整ネジ１４が進退可能に取り付けられている。
【００２８】
［１．４．後シャーシ２ｂの構成の説明］
後シャーシ２ｂ（シャーシ）は、中空のアルミニウムの１つの押出成形品で構成され、すべてのハンマー４０を支持可能なように左右方向に延びていて、ネジ１３により下シャーシ２ａに連結されているとともに、ネジ（図示せず）で棚板（図示せず）に固定されている。また、後シャーシ２ｂの後部には、補強板１０がネジ１１によって取り付けられている。後シャーシ２ｂは、上下方向に延びるとともに、その上端から前側上方に斜めに延びる基板取付部２ｅを有し、この基板取付部２ｅの先端部には、ハンマー４０の上方への回動を規制するためのストッパ９が設けられている。このストッパ９もすべてのハンマー４０にわたるように左右方向に延びている。さらに、ハンマー４０の上方には、各鍵３の押鍵情報を検出するための鍵スイッチ５が設けられている。
【００２９】
上述の鍵スイッチ５は、基板６と、基板６に鍵３ごとに取り付けられたスイッチ本体７で構成されている。
このうちの基板６は、後端部を後シャーシ２ｂの中間部に形成された係合凹部２ｄに差し込んだ状態で、スペーサ８ｃを介し、第１ネジ８ａおよび第２ネジ８ｂにより基板取付部２ｅに取り付けられている。
【００３０】
一方、スイッチ本体７は、基板６を介して、電子ピアノの発音を制御する制御装置（図示せず）に接続されている。また、スイッチ本体７は、鍵３が所定の第１の深さまで押下された際にオンとなる第１接点と、鍵３が上記第１の深さよりも深い所定の第２の深さまで押下された際にオンとなる第２接点とを備える。そして、鍵３が押下された際に、第１接点がオンとなる時刻から第２接点がオンとなる時刻までの時間が計測され、これにより鍵３の押鍵速度に応じたベロシティ（音量）が得られる。
【００３１】
［１．５．筬中１５の構成の説明］
次に、筬中１５の構成について説明する。
筬中１５は合成樹脂の射出成形品であり、略直方体の筬中本体１５ａの前後方向の前方縁部よりも後方にバランスピン１２ａが立設される構成を有している。より具体的には、図２（ａ）に示すように、筬中本体１５ａの前後方向の前方縁部よりも後方には白鍵用のバランスピン１２ａが左右方向に一列に並んで立設されており、筬中本体１５ａの白鍵用のバランスピン１２ａが立設される位置よりも後方には、黒鍵用のバランスピン１２ｂが左右方向に一列に並んで立設されている。このことにより、筬中本体１５ａには、バランスピン１２前方の部分（上面）１５ｂおよびバランスピン１２後方の部分（上面）１５ｃが形成されている。なお、筬中本体１５ａの上下方向の厚み寸法は、筬中１５が下シャーシ２ａに取り付けられた際に、筬中本体１５ａの上面１５ｂのバランスピン１２前方の部分が押鍵時の白鍵３ａの下面と当接せずに対向するように設定されている。
【００３２】
なお、各白鍵用のバランスピン１２ａには、白鍵３ａの中央部に形成されたバランスピン孔３ｅが外挿され、白鍵３ａが、その中央部が白鍵用のバランスピン１２ａに回動可能に支持される。また、各黒鍵用のバランスピン１２ｂには、黒鍵３ｂの中央部に形成されたバランスピン孔３ｅが外挿され、黒鍵３ｂが、その中央部が黒鍵用のバランスピン１２ｂに回動可能に支持される。
【００３３】
また、筬中本体１５ａのバランスピン１２周囲には、鍵３が載置されてその高さを保持しながら回動可能とするリング状のバランスパンチングクロス１５ｄ，１５ｅが取り付けられている。より具体的には、筬中本体１５ａの白鍵用のバランスピン１２ａ周囲には、白鍵３ａが載置されてその高さを保持しながら回動可能とする白鍵用のバランスパンチングクロス１５ｄが取り付けられており、筬中本体１５ａの黒鍵用のバランスピン１２ｂ周囲には、黒鍵３ｂが載置されてその高さを保持しながら回動可能とする黒鍵用のバランスパンチングクロス１５ｅが取り付けられている。なお、白鍵用のバランスパンチングクロス１５ｄの上面（保持面）は、筬中本体１５ａの前側の上面１５ｂよりも若干高くなっている。また、黒鍵用のバランスパンチングクロス１５ｅの上面（保持面）は、筬中本体１５ａの後側の上面１５ｃよりも若干高くなっている。
【００３４】
また、筬中本体１５ａの黒鍵用バランスピン１２ｂ前方には凹部１５ｆが形成されている。この凹部１５ｆは、押鍵時に黒鍵３ｂが黒鍵用の鍵下限ストッパ１８ｂに当接するまで前方向に回動した際に、押鍵時の黒鍵３ｂの下面（図中に一点鎖線で図示）と当接せずに対向するよう設定された面（対向面）１５ｇを有する。なお、対向面１５ｇは、筬中１５が下シャーシ２ａに取り付けられた際に、押鍵時の黒鍵３ｂの下面と略平行となるように設定されている。また、凹部１５ｆは、図２（ｂ）に示すように、左右の壁面１５ｈ，１５ｉの間の幅寸法が黒鍵３ｂの幅寸法よりも若干大きく設定されている。このことにより、この凹部１５ｆは、押鍵時の黒鍵３ｂの下部を内包可能である。
【００３５】
なお、鍵盤装置１のその他の構成については、公知技術に従っているのでここではその詳細な説明は省略する。
［２．鍵盤装置１の動作の説明］
次に、本実施形態の鍵盤装置１の動作を説明する。具体的には、黒鍵３ｂを押鍵および離鍵した際の動作について説明する。なお、白鍵３ａを押鍵および離鍵した際の動作については、公知技術に従っているのでここではその詳細な説明は省略する。
【００３６】
まず、図１に示す鍵盤装置１の黒鍵３ｂが押鍵される（つまり黒鍵３ｂの前部が押し下げられる）と、この黒鍵３ｂは、黒鍵用のフロントピン１６ｂにより左右方向に振れないように案内されながら、下シャーシ２ａに取り付けられている筬中１５に立設されている黒鍵用のバランスピン１２ｂを介してその前部が下方に移動する方向へ回動する。
【００３７】
引き続き黒鍵３ｂが回動すると、黒鍵３ｂの平坦部３ｆがハンマー本体４２に取り付けられている調整ネジ１４を押し上げ、ハンマー４０が、後シャーシ２ｂに設けられている支点軸部２ｃによって支持されたハンマー本体４２の後端部に形成された軸孔４８を中心にしてハンマー本体４２に取り付けたおもり板４６が上方へ移動する方向に回動する。この方向へハンマー４０が回動する間、おもり板４６の重量は、ハンマー本体４２の回動を抑止するように作用する。
【００３８】
そして、黒鍵３ｂの回動は、回動する黒鍵３ｂの下面が下シャーシ２ａに取り付けられている黒鍵用の鍵下限ストッパ１８ｂに当接することによって規制される。また、ハンマー４０の回動は、回動するハンマー４０の上面先端部が後シャーシ２ｂに取り付けられているストッパ９に当接することによって規制される。この際、押鍵されてその前部が下方に押し下げられた黒鍵３ｂの下部が、筬中１５とは当接せずに筬中１５の凹部１５ｆに内包された状態となる（図２（ａ）参照）。
【００３９】
そして、このハンマー４０の回動に伴い、軸孔４８より前方の上面後端部が鍵スイッチ５のスイッチ本体７を押下し、オン動作させることによって、黒鍵３ｂの押鍵情報が検出され、その検出結果に応じて、図示しない制御装置により電子ピアノの発音が制御される。
【００４０】
一方、この状態から黒鍵３ｂが離鍵されると、おもり板４６の重量によってハンマー本体４２が下方へ移動する方向へ回動する。すると、ハンマー本体４２に取り付けられた調整ネジ１４を介して黒鍵３ｂは、上述の黒鍵３ｂの押鍵時とは逆の方向へ回動し、押鍵初期の位置へ復帰する。なお、このときの黒鍵３ｂの回動は、回動する黒鍵３ｂの下面が下シャーシ２ａに取り付けられている鍵上限ストッパ２０に当接することによって規制される（図１の状態）。また、ハンマー４０の回動は、ハンマー本体４２に取り付けられている調整ネジ１４が黒鍵３ｂの平坦部３ｆに当接することによって規制される。
【００４１】
［３．実施形態の効果］
（１）このように本実施形態の鍵盤装置１によれば、筬中本体１５ａの黒鍵用バランスピン１２ｂ前方には凹部１５ｆが形成されており、この凹部１５ｆは、押鍵時に黒鍵３ｂが黒鍵用の鍵下限ストッパ１８ｂに当接するまで前方向に回動した際に、押鍵時の黒鍵３ｂの下面（図中に一点鎖線で図示）と当接せずに対向するよう設定された面（対向面）１５ｇを有する。なお、対向面１５ｇは、筬中１５が下シャーシ２ａに取り付けられた際に、押鍵時の黒鍵３ｂの下面と略平行となるように設定されている。また、凹部１５ｆは、図２（ｂ）に示すように、左右の壁面１５ｈ，１５ｉの間の幅寸法が黒鍵３ｂの幅寸法よりも若干大きく設定されている。よって、この凹部１５ｆは、押鍵時の黒鍵３ｂの下部を内包可能である。
【００４２】
このことにより、押鍵時に黒鍵３ｂが筬中１５に当接しなくなるので従来のように黒鍵３ｂを削らなくても済み、黒鍵３ｂを削った場合に発生する吸湿時の反りや変形が発生せずに品質が安定する。また、黒鍵３ｂを削った場合に発生する加工工程を簡略化でき、製造コストを低減することができる。また、筬中１５は合成樹脂の射出成形品であるので、精度よく製造することでき、品質が安定する。
【００４３】
また、本実施形態の鍵盤装置１によれば、上述のように筬中１５が合成樹脂の射出成形品であるために精度よく製造することできるとともに品質が安定するために各黒鍵３ｂに対向する各対向面１５ｇも精度よく形成されるため、黒鍵３ｂを支持する黒鍵用バランスピン１２ｂが立設する位置と白鍵３ａを支持する白鍵用バランスピン１２ａが立設する位置との前後差を（白鍵３ａと黒鍵３ｂの支点位置の前後差）を適切な寸法にすることにより、白鍵用のハンマー４０の作用点位置と黒鍵用のハンマー４０の作用点位置とを共通にすることができ、当該鍵盤装置１の他の構成に白鍵用と黒鍵用とで共通の部品を使用できる。したがって、部品構成をシンプルにできるとともに、部品共通化により組立てやすくすることができる。なおこのことは品質の安定化にも寄与する。
【００４４】
したがって、本実施形態の鍵盤装置１によれば、加工工程の簡略化による製造コストの低減および品質の安定化を図ることができる。
（２）また、本実施形態の鍵盤装置１によれば、対向面１５ｇが、筬中１５が下シャーシ２ａに取り付けられた際に、押鍵時の黒鍵３ｂの下面と略平行となるように設定されている。このことにより、押鍵時に黒鍵３ｂが筬中１５の対向面１５ｇにより確実に当接しなくなる。
【００４５】
（３）また、本実施形態の鍵盤装置１によれば、筬中本体１５ａの白鍵用のバランスピン１２ａ周囲には、白鍵３ａが載置されてその高さを保持しながら回動可能とする白鍵用のバランスパンチングクロス１５ｄが取り付けられるとともに、筬中本体１５ａの黒鍵用のバランスピン１２ｂ周囲には、黒鍵３ｂが載置されてその高さを保持しながら回動可能とする黒鍵用のバランスパンチングクロス１５ｅが取り付けられており、白鍵用のバランスパンチングクロス１５ｄの上面（保持面）が筬中本体１５ａの前側の上面１５ｂよりも若干高くなっているとともに、黒鍵用のバランスパンチングクロス１５ｅの上面（保持面）が筬中本体１５ａの後側の上面１５ｃよりも若干高くなっている。このことにより、離鍵時の鍵３（白鍵３ａおよび黒鍵３ｂ）の前部上面の高さを均一にそろえることができる。したがって、部品構成をシンプルにできるとともに、部品共通化により組立てやすくすることができる。なおこのことは品質の安定化にも寄与する。また、離鍵時の鍵３（白鍵３ａおよび黒鍵３ｂ）の前部上面の高さを均一にそろえることにより、当該鍵盤装置１の外観を整えるとともに演奏をスムーズに行うことができる。
【００４６】
［４．他の実施形態］
以上、本発明の一実施形態について説明したが、本発明は上記実施形態に限定されるものではなく、以下のような様々な態様にて実施することが可能である。
【００４７】
（１）上記実施形態では、電子ピアノが備える鍵盤装置１に本発明を適用したが、これには限られず、木製の鍵盤材を用いた鍵３が下シャーシ２ａに固定された筬中１５に立設されるバランスピン１２を介して前後方向に回動可能に支持され、押鍵時に上方に回動する鍵３の段差面（後端部）３ｇがハンマー４０を回動動作させる鍵盤装置にも本発明を適用できる。このような鍵盤装置を備える鍵盤楽器としては、電子オルガンなどの電子鍵盤楽器や、アコースティックピアノなどが挙げられる。
【００４８】
（２）上記実施形態では、押鍵時に黒鍵３ｂが筬中１５に当接しなくなるようにするため、筬中本体１５ａの黒鍵用バランスピン１２ｂ前方に凹部１５ｆが形成されているが、これには限られず、筬中本体１１５ａの黒鍵用バランスピン１２ｂ周囲に、黒鍵３ｂが載置されてその高さを保持しながら回動可能とする保持面１１５ｅを形成することで、押鍵時に黒鍵３ｂが筬中１１５に当接しなくなるようにしてもよい。
【００４９】
以下に、本実施形態の筬中１１５の構成について説明する。
筬中１１５は合成樹脂の射出成形品であり、略直方体の筬中本体１１５ａの前後方向の前方縁部よりも後方にバランスピン１２ａが立設される構成を有している。より具体的には、図３に示すように、筬中本体１１５ａの前後方向の前方縁部よりも後方には白鍵用のバランスピン１２ａが左右方向に一列に並んで立設されており、筬中本体１１５ａの白鍵用のバランスピン１２ａが立設される位置よりも後方には、黒鍵用のバランスピン１２ｂが左右方向に一列に並んで立設されている。このことにより、筬中本体１１５ａには、バランスピン１２前方の部分（上面）１１５ｂおよびバランスピン１２後方の部分（上面）１１５ｃが形成されている。なお、筬中本体１１５ａの上下方向の厚み寸法は、筬中１１５が下シャーシ２ａに取り付けられた際に、筬中本体１１５ａの上面１５ｂのバランスピン１２前方の部分が押鍵時の白鍵３ａの下面と当接せずに対向するように設定されている。
【００５０】
なお、各白鍵用のバランスピン１２ａには、白鍵３ａの中央部に形成されたバランスピン孔３ｅが外挿され、白鍵３ａが、その中央部が白鍵用のバランスピン１２ａに回動可能に支持される。また、各黒鍵用のバランスピン１２ｂには、黒鍵３ｂの中央部に形成されたバランスピン孔３ｅが外挿され、黒鍵３ｂが、その中央部が黒鍵用のバランスピン１２ｂに回動可能に支持される。
【００５１】
また、筬中本体１１５ａの白鍵用のバランスピン１２ａ周囲には、白鍵３ａが載置されてその高さを保持しながら回動可能とする白鍵用の保持面１１５ｄが形成されている。なお、白鍵用の保持面１１５ｄは、筬中本体１１５ａの前側の上面１１５ｂよりも若干高くなっている。
【００５２】
また、筬中本体１１５ａの黒鍵用バランスピン１２ｂ周囲には、黒鍵３ｂが載置されてその高さを保持しながら回動可能とする保持面１１５ｅが形成されている。なお、黒鍵用の保持面１１５ｅは、筬中本体１１５ａの後側の上面１１５ｃよりも若干高くなっているとともに、筬中本体１１５ａの前側の上面１１５ｂよりも所定寸法高くなっている。なお、この所定寸法については、押鍵時に保持面１１５ｅにその高さを保持されながら回動する黒鍵３ｂの下面が、筬中本体１１５ａの前側の上面１１５ｂに当接せずに上面１１５ｂよりも上方に位置するよう設定されている。
【００５３】
このことにより、押鍵時に黒鍵３ｂが筬中１１５に当接しなくなるので従来のように黒鍵３ｂを削らなくても済み、黒鍵３ｂを削った場合に発生する吸湿時の反りや変形が発生せずに品質が安定する。また、黒鍵３ｂを削った場合に発生する加工工程を簡略化でき、製造コストを低減することができる。また、筬中１１５は合成樹脂の射出成形品であるので、精度よく製造することでき、品質が安定する。
【００５４】
また、筬中１１５が成形品であるために精度よく製造することできるとともに品質が安定するために各鍵３が載置されてその高さを保持しながら回動可能とする保持面１１５ｄ，１１５ｅを精度よく形成できるので、離鍵時の鍵３（白鍵３ａおよび黒鍵３ｂ）の前部上面の高さを均一にそろえることができる。したがって、部品構成をシンプルにできるとともに、部品共通化により組立てやすくすることができる。なおこのことは品質の安定化にも寄与する。また、離鍵時の鍵３（白鍵３ａおよび黒鍵３ｂ）の前部上面の高さを均一にそろえることにより、当該鍵盤装置１の外観を整えるとともに演奏をスムーズに行うことができる。
【符号の説明】
【００５５】
１…鍵盤装置、２ａ…下シャーシ、２ｂ…後シャーシ、２ｃ…支点軸部、２ｄ…係合凹部、２ｅ…基板取付部、２ｈ…ネジ、３…鍵、３ａ…白鍵、３ｂ…黒鍵、３ｃ…鍵本体（鍵盤材）、３ｄ…鍵カバー、３ｅ…バランスピン孔、３ｆ…平坦部、３ｇ…段差面、５…鍵スイッチ、６…基板、７…スイッチ本体、８ａ…第１ネジ、８ｂ…第２ネジ、８ｃ…スペーサ、９…ストッパ、１０…補強板、１１…ネジ、１２…バランスピン、１２ａ…白鍵用バランスピン、１２ｂ…黒鍵用バランスピン、１３…ネジ、１４…調整ネジ、１５…筬中、１５ａ…筬中本体、１５ｂ…筬中本体の前側の上面、１５ｃ…筬中本体の後側の上面、１５ｄ…白鍵用のバランスパンチングクロス、１５ｅ…黒鍵用のバランスパンチングクロス、１５ｆ…凹部、１５ｇ…対向面、１５ｈ，１５ｉ…壁面、１６…フロントピン、１６ａ…白鍵用フロントピン、１６ｂ…黒鍵用フロントピン、１８…鍵下限ストッパ、１８ａ…鍵下限ストッパ、１８ｂ…鍵下限ストッパ、２０…鍵上限ストッパ、４０…ハンマー、４２…ハンマー本体、４６…おもり板、４８…軸孔、１１５…筬中、１１５ａ…筬中本体、１１５ｂ…筬中本体の前側の上面、１１５ｃ…筬中本体の後側の上面、１１５ｄ，１１５ｅ…保持面
【図２】
2010224146.tif 000003
【図３】
2010224146.tif 000004
【図１】
2010224146.tif 000005